(57)【要約】【課題】  そこで本発明は、安価な構成で、確実にシートを一枚ずつ分離して給送させることができるシート給送装置及び画像読取装置を提供することを目的とする。【解決手段】  本発明に係るシート給送装置の代表的な構成は、シートを送り出すピックアップローラ４と、記録シートＰに摺擦抵抗を与える摩擦部材５と、を有し、記録シートＰを一枚ずつ分離給送するシート給送装置２において、摩擦部材５は弾性力を有し、記録シートＰの給送方向上流側を固定し、記録シートＰの給送方向下流側で記録シートＰに摺擦抵抗を与えることを特徴とする。【選択図】    図２
2005219879.tif 000002
【特許請求の範囲】
【請求項１】
シートを送り出す送出ローラと、
シートに摺擦抵抗を与える摩擦部材と、を有し、シートを一枚ずつ分離給送するシート給送装置において、
前記摩擦部材は弾性力を有し、シートの給送方向上流側を固定し、シートの給送方向下流側でシートに摺擦抵抗を与えることを特徴とするシート給送装置。
【請求項２】
前記摩擦部材の下流側端部は、シートを送り出していない未給送時はシートの給送経路を遮るように突出配置され、シートを送り出す給送時はシートの給送力により撓むことを特徴とする請求項１に記載のシート給送装置。
【請求項３】
前記摩擦部材は、シートと当接する面に摩擦係数の高い部材を用い、シートと当接しない面に所定の剛性を有する部材を用いた複合部材であることを特徴とする請求項１又は請求項２のいずれか１項に記載のシート給送装置。
【請求項４】
請求項１乃至３のいずれか１項に記載のシート給送装置と、
該シート給送装置によって給送された原稿を読取る画像読取部と、を有することを特徴とする画像読取装置。 
【発明の詳細な説明】
【技術分野】
【０００１】
本発明は、スキャナやファクシミリなどの画像読取装置に用いられているシート給送装置及び該シート給送装置を有する画像読取装置に関するものである。
【背景技術】
【０００２】
従来、シートを給送するシート給送装置は、シートを一枚ずつ分離して給送する為に、給送されるべきシートの次のシートを摩擦部材の摩擦力によって、その場に留めさせる様に構成されているものがあった（例えば、特許文献１参照）。
【０００３】
図４は従来のシート給送装置を示す部分断面図である。図４に示すように、シート給送装置の基台６上に載置されたシート状の原稿Ｐは、突き当てレバー３の下部に突き当てられてセットされ、位置決めされる。また、突き当てレバー３の上端には、ピックアップローラ４が回転可能に設けられている。基台６の表面には摩擦部材105が固定されている。摩擦部材105は、原稿Ｐの給送面に固着されているので、原稿Ｐの給送方向と摩擦部材105の固着面はほぼ平行となっている。
【０００４】
このように構成されたシート給送装置において、原稿Ｐの給送時に、突き当てレバー３が降下してピックアップローラ４が最上部の原稿Ｐに当接し、ピックアップローラ４の回転力により原稿Ｐの送り出しを開始する。一方、最下部の原稿Ｐは、下面を摩擦部材105で摺擦されて摩擦抵抗を受け、その場に留まる。また、原稿Ｐ間の摩擦抵抗により最上部以外の原稿Ｐも同様に、その場に留まり、最上部の原稿Ｐのみが他の原稿Ｐから分離されて送り出される。
【０００５】
【特許文献１】特開２００４−３２３１７号公報
【発明の開示】
【発明が解決しようとする課題】
【０００６】
しかしながら、上記従来のシート給送装置では、ピックアップローラ４の給送力が極めて高い場合や、原稿Ｐ同士の摩擦抵抗が高く、原稿Ｐが分離しにくい場合などは、複数枚の原稿Ｐが一度に給送されてしまうという問題があった。
【０００７】
そこで、ピックアップローラ４と対向する位置にピックアップローラ４の回転方向と逆方向に回転する分離ローラを設け、この分離ローラによりシートを分離するシート給送装置があった。しかし、かかる分離ローラを設けた構成ではコストがアップしてしまうという問題があった。
【０００８】
そこで本発明は、安価な構成で、確実にシートを一枚ずつ分離して給送させることができるシート給送装置及び画像読取装置を提供することを目的とする。
【課題を解決するための手段】
【０００９】
上記課題を解決するために本発明に係るシート給送装置の第一の構成は、シートを送り出す送出ローラと、シートに摺擦抵抗を与える摩擦部材と、を有し、シートを一枚ずつ分離給送するシート給送装置において、前記摩擦部材は弾性力を有し、シートの給送方向上流側を固定し、シートの給送方向下流側でシートに摺擦抵抗を与えることを特徴とする。
【００１０】
また、本発明にかかるシート給送装置の第二の構成は、前記第一の構成のシート給送装置において、前記摩擦部材の下流側端部は、シートを送り出していない未給送時はシートの給送経路を遮るように突出配置され、シートを送り出す給送時はシートの給送力により撓むことを特徴とする。
【００１１】
また、本発明にかかるシート給送装置の第三の構成は、前記第一又は第二の構成のシート給送装置において、前記摩擦部材は、シートと当接する面に摩擦係数の高い部材を用い、シートと当接しない面に所定の剛性を有する部材を用いた複合部材であることを特徴とする。
【００１２】
また、本発明にかかる画像読取装置の構成は、前記第一乃至第三のいずれかに記載のシート給送装置と、該シート給送装置によって給送された原稿を読取る画像読取部と、を有することを特徴とする。
【発明の効果】
【００１３】
以上説明したように、本発明にかかる第一及び第二の構成のシート給送装置により、摩擦抵抗に加えて、摩擦部材の弾性力によってシートを分離することができ、安価な構成で、確実にシートを一枚ずつ分離して給送させることができる。
【００１４】
また、発明にかかる第三の構成のシート給送装置により、摩擦部材の摩擦係数及び剛性を調整することができ、シートを分離する分離能力を向上させることができる。
【発明を実施するための最良の形態】
【００１５】
[第一実施形態]
本発明に係るシート給送装置及び画像読取装置の第一実施形態について、図を用いて説明する。図１は本実施形態に係る画像読取装置の構成図、図２は画像読取装置に用いられているシート給送装置の部分断面図である。
【００１６】
（画像読取装置の全体構成）
【００１７】
図１に示すように、本発明に係るシート給送装置を備えた画像読取装置の一例である原稿撮像装置１０は、シートである原稿Ｐを積載収納するシート収納装置である原稿トレイ１４を備えている。原稿トレイ１４に積載された原稿Ｐは、シート給送装置２により、リニアイメージセンサ２０を備えた読取部２１に給送され、原稿Ｐ上の画像情報を読み取られる。
【００１８】
なお、同図において、リニアイメージセンサ２０は、原稿Ｐを照らす発光照明手段である光源ランプ、及び原稿Ｐ表面からの反射光を受光する受光素子を一体化内臓する光学素子である、コンタクトイメージセンサーである。リニアイメージセンサ２０に対向する位置に設けられた白色板２４は、原稿が無い時には、その反射光をリニアイメージセンサ２０が受光してリニアイメージセンサ２０の感度調整手段として機能し、原稿がある時には、原稿をリニアイメージセンサ２０のガラスカバー表面に押し付けられて受光素子と原稿間の距離を一定に保ち光学読み取りを安定させる。
【００１９】
また、シート給送装置２の給送路上側部分及び搬送経路を形成する本体部材２６は、シート給送経路及び搬送経路の上側部分のガイド機能を併せ持つ形状となっている。リニアセンサ２０の上流側及び下流側には駆動回転する搬送ローラ２８及び搬送ローラ２９が配置されており、それぞれの搬送ローラ２８、２９にはピンチコロ３０、３１が圧接している。
【００２０】
１９は原稿セットを検知するためのフラグ部材である。また１８は原稿トレイ１４より送り出され、分離部９を通過した原稿の先端部分を検知するためのフラグ部材であり、原稿給送量の制御および読取部２１までの位置だし制御、読取完了後の排出量制御を行う信号を得るための部材である。
【００２１】
（シート給送装置）
次に、シート給送装置における原稿Ｐの分離給送について詳細に説明する。図２に示すように、シート給送装置２は、突き当てレバー３、送出ローラであるピックアップローラ４、摩擦部材５、基台６、駆動ローラ７、駆動ベルト８から構成されている。
【００２２】
突き当てレバー３は下部に、原稿トレイ１４に積載された記録媒体Ｐの先端を規制して原稿Ｐを整列させている。突き当てレバー３の上部には、ピックアップローラ４が回転可能に軸支されている。そして、突き当てレバー３が回動した際に、ピックアップローラ４が原稿Ｐに当接するとともに、突き当てレバー３の下部が原稿Ｐの送り出しを妨げない位置に退避するように構成されている。
【００２３】
ピックアップローラ４は、駆動回転する駆動ローラ７とで、駆動ベルト８を懸架しており、駆動ベルト８を介して駆動ローラ７の回転力を伝達されて従動回転する。
【００２４】
摩擦部材５は、弾性力を有するシリコンゴム等で形成されており、ピックアップローラ４が原稿Ｐと当接する位置よりもシートの給送方向上流側に設けられている。また、摩擦部材５は、一端（シートの給送方向上流側）を両面テープ等にて基台６に貼付されて固定し、他端（シートの給送方向下流側）を両面テープ等で固着せずにフレキシブルに揺動可能としている。
【００２５】
摩擦部材５の下流側端部は、原稿Ｐを送り出していない未給送時は、他端が原稿Ｐを遮るように突出して配置され、原稿Ｐを送り出す給送時は、原稿Ｐの給送力により撓んで給送経路を形成するように形成されている。
【００２６】
基台６は、摩擦部材５を取り付ける固着面が原稿トレイ１４に積載された原稿Ｐに対して所定の角度だけ傾けて形成されている。この基台６の固着面の角度をピックアップローラ４等の給料力等の給送条件に合わせて変更することで、原稿Ｐの分離性能が向上する。本実施形態では、基台６の固着面の角度を実験結果より良好であった約３０度前後としている。
【００２７】
ここで、原稿Ｐの分離給送動作について説明する。原稿Ｐが原稿トレイ１４に積載され、先端を突き当てレバー３の下部に突き当てられてセットされ、原稿撮像装置１０の原稿読み取り動作が開始されると、突き当てレバー３が回動してピックアップローラ４が最上部の原稿Ｐに当接し、突き当てレバー３の下部が原稿Ｐの給送方向から退避する。そして、駆動ローラ７から回転力が駆動ベルト８を介してピックアップローラ４に伝達され、ピックアップローラ４が従動回転することで、原稿Ｐが送り出される。
【００２８】
この際、原稿Ｐは摩擦部材５に乗り上げており、最下部の原稿Ｐに給送方向と逆方向の摺擦抵抗を与えられる。また、摩擦部材５の突出した部分が、原稿Ｐの給送力により撓んで、その弾性力により最下部の原稿Ｐへ給送方向と逆方向の力を与える。この摩擦抵抗と弾性力により最下部の原稿Ｐはその場に留まる。また、原稿Ｐ間の摩擦抵抗により最上部以外の原稿Ｐも同様に、その場に留まり、最上部の原稿Ｐのみが他の原稿Ｐから分離されて送り出される。
【００２９】
上述のごとく、原稿Ｐの裏面へ摩擦部材５の摩擦抵抗だけでなく、摩擦部材５の弾性力をも作用させて、原稿Ｐを留めることとした。これにより、摩擦部材５の摩擦抵抗のみを作用させる場合に比べて、確実かつ安定した分離給送を行うことができる。また、摩擦部材５のみで分離することができ、特別な部材（分離ローラ等）を必要としないことから、安価な構成で分離性能を向上させることができる。
【００３０】
[第二実施形態]
次に本発明に係るシート給送装置及び画像読取装置の第二実施形態について図を用いて説明する。図３は本実施形態に係るシート給送装置の部分断面図である。上記第一実施形態と説明の重複する部分については、同一の符号を付して説明を省略する。
【００３１】
図３に示すように、本実施形態の画像読取装置、シート給送装置は、上記第一実施形態の摩擦部材５を摩擦係数、弾性力のことなる２部材からなる摩擦部材25に変えたものである。摩擦部材25は、原稿Ｐと当接する面に摩擦係数の高い摩擦材25ａを用い、原稿Ｐと当接しない面に所定の剛性を有する剛性材25ｂを用いた複合部材である。
【００３２】
摩擦材25ａは摩擦係数の高いシリコンゴム等で形成され、剛性材25ｂは剛性の高いPET（ポリエチレンテレフタレート）で形成されている。剛性材25ｂは、摩擦材25ａの剛性を補う効果があり、剛性材25ｂの厚みを変更して剛性を調整することもできる。
【００３３】
このように、摩擦部材25を原稿Ｐと当接する面に摩擦係数の高い摩擦材25ａを用い、原稿Ｐと当接しない面に所定の剛性を有する剛性材25ｂを用いた複合部材とした。これにより、摩擦部材25の摩擦係数を優先させて満足させ、かつ剛性もほぼ満足させることができ、最適な摩擦抵抗、弾性力で原稿Ｐの分離給送を行うことができ、シート給送装置２の分離性能を向上させることができる。
【００３４】
【産業上の利用可能性】
【００３５】
本発明の活用例として、電子写真装置、静電記録装置等の画像形成装置のシート給送装置及び該シート給送装置を備えた画像形成装置にも適用可能である。
【図面の簡単な説明】
【００３６】
【図１】第一実施形態に係る画像読取装置の構成図である。
【図２】シート給送装置の部分断面図である。
【図３】第二実施形態に係るシート給送装置の部分断面図である。
【図４】従来の実施例の断面図
【符号の説明】
【００３７】
Ｐ    …原稿
２    …シート給送装置
３    …突き当てレバー
４    …ピックアップローラ
５    …摩擦部材
６    …基台
７    …駆動ローラ
８    …駆動ベルト
９    …分離部
10    …原稿撮像装置
14    …原稿トレイ
18、19    …フラグ部材
20    …リニアイメージセンサ
21    …読取部
24    …白色板
25    …摩擦部材
25ａ  …摩擦材
25ｂ  …剛性材
26    …本体部材
28、29    …搬送ローラ
30、31    …ピンチコロ
【図１】
2005219879.tif 000003
【図２】
2005219879.tif 000004
【図３】
2005219879.tif 000005
【図４】
2005219879.tif 000006